(57)【要約】      （修正有）【課題】指の太さに応じて内径を容易に変更できるフィットし易いフリーサイズの指輪を提供する。【解決手段】指に巻きつけるバンドＢの基端５を飾り台２に設けたバンドホルダー４の出口側Ａに取付け、入口側Ｚからバンドの先端６を挿入し挿通する。飾り台の指挿通側及び／又はホルダーの飾り台側に弾力層８を設けるのが好ましい。指の太さに応じてバンドを伸縮させる操作が容易であり、弾力層を設けたので止めた位置に自動的に止まる。【選択図】図６
0003197577.tif 000002
【実用新案登録請求の範囲】
【請求項１】
リングの内径を自由自在に変更できる指輪であって、指に巻きつけるバンドの基端を飾り台又はホルダーの貫通孔出口側に取付け、飾り台に設けた前記ホルダーの入口側からバンドを挿入し挿通する構造であるフリーサイズの指輪。
【請求項２】
前記飾り台の指挿通側及び／又はホルダーの飾り台側に弾力層を設けてあることを特徴とする請求項１に記載のフリーサイズの指輪。
【請求項３】
前記のバンドの先端に装飾品を設けたことを特徴とする請求項１又は請求項２に記載のフリーサイズの指輪。
【考案の詳細な説明】
【技術分野】
【０００１】
本考案は、指の太さに応じて内径を容易に変更できる指輪に関する。
【背景技術】
【０００２】
現在アクセサリー業界でリング（指輪）と言えば、図１（１）のようなダイヤや色石付き等のキャストリングや（２）のようにダイヤバイトでソリッド（地金のみ）の表面を切削したカットリングが主流だが、以下のように問題点が多い。
１．リングの腕部分（指の入るか所）がハード（硬い）なため、番数を指の太さに合わせ、♯７〜２５番位まで用意する必要がある。
２．エンドユーザーが店で購入する際、自分に合ったサイズが無い場合、メーカーに依頼するかそのリングをサイズ直しするしか無く、いずれも時間を要する。
３．クレームでよく聞くのは、指の関節をリングが通っても、そこを過ぎると緩くなり、リングが回ってしまう。
４．メーカー側も各サイズを用意する必要があり、その在庫負担が大きい。
５．従って、自分の指輪を他人にプレゼントしたくても不可能であり、形見として子孫に譲って使ってもらうことも困難である。
【先行技術文献】
【特許文献】
【０００３】
【特許文献１】特開2014−158633
【考案の概要】
【考案が解決しようとする課題】
【０００４】
特許文献１のように、連結軸で金属製の半円状の開閉リングを連結し、連結部の付近に内臓したバネで閉じるフリーサイズが提案されているが、構造が複雑な上に二つの腕部分は剛体なため、指に完全にフィットさせることはできない。
本考案の技術的課題は、このような問題に着目し、指の太さに応じてフィットし易いバンドを取付けて、バンドを伸縮させることが容易な構造を実現することにある。
【課題を解決するための手段】
【０００５】
本発明の技術的課題は次のような手段によって解決される。請求項１は、リングの内径を自由自在に変更できる指輪であって、指に巻きつけるバンドの基端を飾り台又はホルダーの貫通孔出口側に取付け、飾り台に設けた前記ホルダーの入口側からバンドを挿入し挿通する構造であるフリーサイズの指輪である。
【０００６】
請求項２は、前記飾り台の指挿通側及び／又はホルダーの飾り台側に弾力層を設けてあることを特徴とする請求項１に記載のフリーサイズの指輪である。
【０００７】
請求項３は、前記のバンドの先端に装飾品を設けたことを特徴とする請求項１又は請求項２に記載のフリーサイズの指輪である。
【考案の効果】
【０００８】
請求項１のように、リングの内径を自由自在に変更できる指輪であって、指に巻きつけるバンドの基端を飾り台又はホルダーの貫通孔出口側に取付け、飾り台に設けた前記ホルダーの入口側からバンドを挿入し挿通する構造であるから、バンドホルダーに挿通したバンドを伸縮させて、自分又は他人の指の太さに応じて指に巻きつけるバンドの長さを容易に調節できる。
【０００９】
請求項２のように、前記飾り台の指挿通側及び／又はホルダーの飾り台側に弾力層を設けてあるので、指の太さに応じてバンドを伸縮させる操作が容易であり、また弾力があるので止めた位置に自動的に止まる。
【００１０】
請求項３のように、前記のバンドの先端に装飾品を設けたので、飾り台とは別に小さな装飾が可能で可愛らしくなり、装飾品としてのユニークさが有り珍しい。
【図面の簡単な説明】
【００１１】
【図１】従来の指輪を示す斜視図である。
【図２】本考案のバンドを各種示す斜視図である。
【図３】本考案のバンドを飾り台に通す図である。
【図４】本考案のバンドを取付けた側面図である。
【図５】本考案のバンドを挿入する前の側面図である。
【図６】本考案のバンドを挿通した状態の側面図である。
【図７】本考案のバンドの調節方法を示す側面図である。
【図８】本考案によるバンドホルダーと飾り台との関係を示す図である。
【考案を実施するための形態】
【００１２】
次に本考案による内径の変更が容易な指輪が実際上どのように具体化されるか実施形態で説明する。本考案にる内径の変更が容易な指輪は、次の順序で製造される。まず、図２のようにバンドＢを造る。（１）は、単品の鎖（ボールチェーンやベニス等）１、１′を２列並列に並べてロー付けで連結し、一体化する。３〜６列接合してよく、列数が多いほど幅が広くなり強度も増す。（２）は、５列の例である。
（３）は、柔軟なバンドの両縁に１列のボールチェーンをロー付けした例であり、（４）は四角チェーンを６列ロー付けした例である。柔軟性が有れば、他の種のバンドでもよい。なお、ボールチェーンに代わってビーズを用いることも可能であり、多色構造にしてより美しくできる利点がある。
【００１３】
図３は、飾り台２の例であり、（１）は斜視図で、例えばハート状をしている。そして、バンドＢを挿通する貫通孔３を開けてある。従って、バンドＢが飾り台２の側面を一端から他端に向かって通過できるようなトンネル状に開けてある。挿通するバンドＢが平坦であるから、それに応じて貫通孔３も平坦状であるが、これに限定されずに、バンドの曲率に応じて貫通孔３も湾曲させてよい。
このバンドＢの基端５を、図４のように、飾り台２と一体のホルダー部４の出口側Ａに接合し、一体化してもよい。ホルダー部４の右端が出口側Ａであり、左端が入口側Ｚである。なお、加締めによる接合も可能であり、また筒体と筒体に挿通した支軸をそれぞれ接合すれば、軸支構造の可動式にもできる。
【００１４】
図５のようにこのバンドＢの先端６を前記貫通孔３に挿入して貫通させ、図６のようにリング状にする。図６は、バンドＢの先端に装飾品７を取付けて、美化してある。また、飾り台２の天井面に弾力材の層として、薄いゴム板や軟質合成樹脂膜８を貼り付けてある。
このような構成において、図７（１）のように、バンドＢを先端側に引くと、指輪の内径が小さくなり、細い指に適する。逆に、（２）のように、入口Ｚ側にホルダー部４中のバンドＢを戻すと、指輪の内径が大きくなり、太い指に適する。従って、同一人が使用する場合に限らず、他人に譲ったりした場合でも、指の太さの差異を気にする必要がなくなり、子孫に形見として譲る場合にも効果的である。
【００１５】
前記のほか、次のような実施例も可能である。
１．図８（１）のように、飾り台２の天井面に設ける弾力層８と同時にホルダー部４の貫通孔３側にも弾力層９を設けることもできる。なお、ホルダー部４側の弾力層９のみにすることもできる。
２．（２）のように、ホルダー部４側と飾り台２側とを別体とし、最後に両者を接着してもよい。すなわち、弾性に富んだ薄板の両側を内向きにコの字状に折り曲げてから、互いに重ねて接着し、一体化する。この場合は、コの字状の両先端４′、４′が曲がり易いので、その弾性で、中を通過するバンドＢの保持力を確保できる。
３．バンドＢの基端５を、ホルダー部４側でなく、飾り台２側の出口に接合し、バンド先端６側を指側に、すなわちバンドＢの内側に位置させることもできる。この場合は、先端６に装飾品７を取付けても見えないので、意味が無い。
【産業上の利用可能性】
【００１６】
指に巻きつけるバンドの基端を出口側に取付け、飾り台に設けたホルダーの入口側からバンドを挿入し挿通する構造なため、バンドホルダーに挿通したバンドを伸縮させて、指の太さに応じてバンドの長さすなわち内径を容易に調節できる。
【符号の説明】
【００１７】
Ｂ  バンド
１、１′  チェーン
２  飾り台
３  貫通孔
４  ホルダー部
４′  ホルダー部両腕端
Ａ  出口側
Ｚ  入口側
５  バンドの基端
６  バンドの先端
７  装飾品
８・９  弾性層
【図１】
0003197577.tif 000003
【図２】
0003197577.tif 000004
【図３】
0003197577.tif 000005
【図４】
0003197577.tif 000006
【図５】
0003197577.tif 000007
【図６】
0003197577.tif 000008
【図７】
0003197577.tif 000009
【図８】
0003197577.tif 000010
【手続補正書】
【提出日】平成27年3月17日(2015.3.17)
【手続補正１】
【補正対象書類名】実用新案登録請求の範囲
【補正対象項目名】全文
【補正方法】変更
【補正の内容】
【実用新案登録請求の範囲】
【請求項１】
リングの内径を自由自在に変更できる指輪であって、指に巻きつけるバンドの基端を飾り台又はホルダーの貫通孔出口側に取付け、飾り台に設けた前記ホルダーの入口側からバンドを挿入し挿通する構造であるフリーサイズの指輪。
【請求項２】
前記貫通孔内の飾り台側及び／又はホルダー側に弾力層を設けてあることを特徴とする請求項１に記載のフリーサイズの指輪。
【請求項３】
前記のバンドの先端に装飾品を設けたことを特徴とする請求項１又は請求項２に記載のフリーサイズの指輪。